(57)【特許請求の範囲】
【請求項１】
テレビジョン受像機において、垂直走査のオーバースキャン期間にブランキングをかけるためのブランキングパルスを発生する回路であって、
基準となる第１の電圧値を発生する基準電圧源と、
前記基準電圧源と並列に接続され、前記基準電圧の値を分圧して第２の電圧値を発生する分圧手段と、
前記第１の電圧値及び第２の電圧値を入力とし、上端の電圧が前記第１の電圧値に下端の電圧が前記第２の電圧値となるように自動振幅調整された、垂直のこぎり波の基準となるのこぎり波を出力するのこぎり波発生器と、
前記第１の電圧値を入力し、その入力電圧レベルを所定量レベルシフトする第１の可変レベルシフト回路と、
前記第２の電圧値を入力し、その入力電圧レベルを所定量レベルシフトする第２の可変レベルシフト回路と、
前記のこぎり波発生器から出力されるのこぎり波の電圧レベルが前記第１の可変レベルシフト回路から出力される電圧レベルより大きい期間，並びに前記のこぎり波発生器から出力されるのこぎり波の電圧レベルが前記第２の可変レベルシフト回路から出力される電圧レベルより小さい期間においてのみパルス信号を発生するパルス信号発生手段と
を具備したことを特徴とするアナログブランキングパルス発生回路。
【請求項２】
前記パルス信号発生手段は、
前記のこぎり波を負入力端から入力し、前記第１の可変レベルシフト回路の出力を正入力端から入力し、比較を行う第１の電圧比較器と、
前記のこぎり波を正入力端から入力し、前記第２の可変レベルシフト回路の出力を負入力端から入力し、比較を行う第２の電圧比較器と、
前記第１の電圧比較器と第２の電圧比較器の出力信号を混合して出力する信号出力手段と
を具備したことを特徴とする請求項１に記載のアナログブランキングパルス発生回路。
【請求項３】
前記第１の可変レベルシフト回路はその入力電圧レベルが小さくなる方向に、また、前記第２の可変レベルシフト回路はその入力電圧レベルが大きくなる方向に、それぞれの入力電圧レベルの絶対値が等しくなるようにレベルシフトが行われる事を特徴とする請求項１に記載のアナログブランキングパルス発生回路。
【発明の詳細な説明】
【０００１】
【発明の属する技術分野】
本発明は、テレビジョン受像機における垂直偏向系にアナログブランキングをかけるためのアナログブランキングパルスを発生するアナログブランキングパルス発生回路に係り、特に半導体集積回路に使用されるアナログブランキングパルス発生回路に関する。
【０００２】
【従来の技術】
現在、日本では第２世代ＥＤＴＶ（ＥＤＴＶ２）やハイビジョンと呼ばれるワイドアスペクト放送が行われている。ＥＤＴＶ２やハイビジョン放送を受信可能なテレビジョン受像機では、アスペクト比が１６：９であり、現行のＮＴＳＣ方式によるテレビジョン受像機のアスペクト比が４：３であるのと比べて横長となっており、前記現行のＮＴＳＣ方式によるテレビジョン信号との両立性を確保するため、例えば、ＥＤＴＶ２信号等では、前記４：３画面の中の１６：９のレターボックス画像として伝送されるようになっている。そして、これをそのまま従来の４：３の画面で見ると、上と下にそれぞれ黒味のある小さな横長映像になるが、専用のＥＤＴＶ２受信機（デコーダ）で拡大すると、画面一杯の１６：９画像となるようになっている。
【０００３】
ところで、ワイドアスペクト放送（ワイドクリアビジョン放送ともいう）やハイビジョン放送が行われているとはいっても、現行放送の主流は未だアスペクト比４：３の従来の放送波によるものであり、各家庭には依然４：３の表示能力しかない従来のテレビジョン受像機が未だ大量に存在している。この従来のテレビジョン受像機が徐々に償却されアスペクト比１６：９の表示能力を有するワイドテレビジョン受像機への買い換えがに進むには、もう少し時間を要するものと思われる。また、ナビゲーションシステムの地図画面の表示画面などの特殊用途向けとして、従来通り４：３の表示方法が適したものも多々ある。このため、ワイドアスペクト放送が受信可能な１６：９表示能力を有するワイドテレビジョン受像機の普及が進んでも、４：３の従来の放送波はある程度残存し、少なくともここしばらくは、ワイドアスペクト放送波と４：３の従来の放送波との２つの放送波が共存するものと思われる。
【０００４】
一般に、このようなワイドアスペクト放送が受信可能な１６：９表示能力を有するワイドテレビジョン受像機の画面全体に、現行のＮＴＳＣ方式の４：３の映像全部を歪み無く表示することは不可能である。一方、現行のＮＴＳＣ方式で劇場用映画サイズ等のソフトウェア（映像ソフト）をテレビジョン放映する場合には、前記劇場用映画の画面両サイドが欠けないように放映しようとすると、従来（現行）４：３の画面の上下に余白が発生する。この映像を垂直方向に適当な比率で拡大して前記ワイドテレビジョン受像機に表示すると、画面のほぼ全域に歪み無く映像を表示することができ、画面を有効に使用できると共に迫力のある画面（映像）を得ることができる。
【０００５】
ところで、前述のように映像を垂直方向に拡大すると、垂直走査にオーバースキャンが発生してしまう。そこで、従来よりこのオーバースキャン期間における映像信号にブランキングをかけることが行われている。
図３は従来の垂直偏向系アナログブランキングパルス発生回路を示した回路図である。
【０００６】
図３（ａ）に示す従来のアナログブランキングパルス発生回路において、垂直走査用のこぎり波発生器１は帰還型オペアンプ２の正入力端に接続されていて、帰還型オペアンプ２の出力端は垂直出力ＩＣ３に接続されていて、垂直出力ＩＣ３と帰還型オペアンプ２の負入力端との間には偏向コイルＤＹ，結合容量Ｃｆ，並びに帰還抵抗Ｒｃから成る直列回路が接続されている。また、結合容量Ｃｆ及び帰還抵抗Ｒｃの接続点は検出抵抗Ｒｆを介して基準電位点ＧＮＤに接続されると共にブランキング回路４の入力端と接続されている。さらに、ブランキング回路４には正電源Ｅ１（＋Ｖｃｃ）及び負電源Ｅ２（−Ｖｃｃ）が接続されると共に出力端子５と接続されている。
【０００７】
一方、図４は従来のアナログブランキングパルス発生回路の動作を説明するための信号波形図である。
次に、図４の信号波形図を参照しながら、前記従来のアナログブランキングパルス発生回路の動作について説明を行う。
【０００８】
垂直走査用のこぎり波発生器１は、図４（ａ）に示す如くののこぎり波を発生し、帰還型オペアンプ２の正入力端に供給する。また、帰還型オペアンプ２の出力は垂直出力ＩＣ３に供給され、前記帰還型オペアンプ２は正入力と負入力を一致させるよう垂直出力ＩＣ３をドライブする。そして、垂直出力ＩＣ３の出力は対ＧＮＤ（基準電位点）に直列接続された偏向コイルＤＹ，結合容量Ｃｆ，並びに検出抵抗Ｒｆに供給され、前記検出抵抗Ｒｆの検出出力（電圧）は帰還抵抗Ｒｃを介し、図４（ｂ）に示す如くののこぎり波が前記帰還型オペアンプ２の負入力端に供給され、帰還ループが構成される。尚、この帰還ループを構成する前記帰還型オペアンプ２の出力波形は図４（ｃ）に示す如くであり、前記偏向コイルＤＹに流れる電流は図４（ｄ）に示す如くとなる。また、図中の期間Ｔは垂直帰線期間を示していて、前記垂直出力ＩＣ３内でそのタイミングが決定されるようになっている。
【０００９】
一方、ブランキング回路４の入力端には、前記図４（ｄ）の電流と検出抵抗Ｒｆの積で表される図４（ｅ）の検出出力（電圧）が供給されていて、この検出抵抗Ｒｆの検出出力である垂直のこぎり波を基準として、図４（ｆ）に示す如くのアナログブランキングパルスが出力端５に出力される。図３（ａ）に示した回路の場合、ブランキング回路４は、入力波形を、正電源Ｅ１（上側スライスレベル）及び負電源Ｅ２（下側スライスレベル）で決定される基準電圧と比較し、前記上側スライスレベル（電圧）より高い期間、及び前記下側スライスレベル（電圧）より低い期間、ブランキングパルス（出力）を“Ｈ”（ハイレベル）、それ以外の期間を“Ｌ”（ローレベル）として前記出力端５に出力され、図５に示す公知の帰線消去回路の入力端子１２に供給され、前記ブランキングパルスが“Ｈ”の期間、帰線（この場合垂直帰線）が消去される。
【００１０】
即ち、図５の入力端子１１または１２に水平帰線パルス（水平ブランキングパルス）または垂直帰線パルス（垂直ブランキングパルス）が入力されることにより、帰線消去トランジスタＱ１のベースに正極性の水平または垂直帰線パルスが加えられ、帰線消去トランジスタＱ１がその期間オンし、Ａ点の電圧がほぼ＋Ｂとなり、ダイオードＤ４が導通して、抵抗Ｒ７，Ｒ６を介し電流が流れ、映像増幅トランジスタＱ２のベース電圧が上昇し、前記映像増幅トランジスタＱ２がオフすることにより帰線が消去されることになる。これにより本回路の場合、垂直ブランキングパルスが“Ｈ”の期間及びその発生タイミングに応じ、前記図４（ｆ）に示す如くにラスタ９の上部または下部にブランキング部１０が形成されることになる。尚、図５は公知の帰線消去回路を示した図である。
【００１１】
ところで、上記回路においては前記検出抵抗Ｒｆは非常に小さな抵抗値（１Ω以下）であり、検出抵抗Ｒｆの両端に現れるのこぎり波の直流的中心、即ち波形のセンターＤＣはほぼ０Ｖであり、ブランキング回路４の入力（基準電圧）として負電位を必要とし、これにより、正負両方の電源を必要とするという欠点があった。
【００１２】
そこで、上述の欠点を解決するため、図３（ｂ）に示す如くのアナログブランキングパルス発生回路が考えられた。即ち、図３（ｂ）において、垂直走査用のこぎり波発生器１は帰還型オペアンプ２の正入力端に接続されていて、帰還型オペアンプ２の出力端は垂直出力ＩＣ３に接続されていて、垂直出力ＩＣ３と帰還型オペアンプ２の負入力端との間には偏向コイルＤＹ，結合容量Ｃｆ，並びに帰還抵抗Ｒｃから成る直列回路が接続されている。また、結合容量Ｃｆ及び帰還抵抗Ｒｃの接続点は検出抵抗Ｒｆを介して基準電位点ＧＮＤに接続されると共に、入力コンデンサＣinを介してブランキング回路４の入力端と接続されている。さらに、ブランキング回路４には電源Ｅ１（＋Ｖｃｃ）が接続されると共に出力端子５と接続されている。
【００１３】
次に、動作について説明を行う。
垂直走査用のこぎり波発生器１は、図４（ａ）に示す如くののこぎり波を発生し、帰還型オペアンプ２の正入力端に供給する。また、帰還型オペアンプ２の出力は垂直出力ＩＣ３に供給され、前記帰還型オペアンプ２は正入力と負入力を一致させるよう垂直出力ＩＣ３をドライブする。そして、垂直出力ＩＣ３の出力は対ＧＮＤ（基準電位点）に直列接続された偏向コイルＤＹ，結合容量Ｃｆ，並びに検出抵抗Ｒｆに供給され、前記検出抵抗Ｒｆの検出出力（電圧）は帰還抵抗Ｒｃを介し、図４（ｂ）に示す如くののこぎり波が前記帰還型オペアンプ２の負入力端に供給され、帰還ループが構成される。尚、この帰還ループを構成する前記帰還型オペアンプ２の出力波形は図４（ｃ）に示す如くであり、前記偏向コイルＤＹに流れる電流は図４（ｄ）に示す如くとなる。また、図中の期間Ｔは垂直帰線期間を示していて、前記垂直出力ＩＣ３内でそのタイミングが決定されるようになっている。
【００１４】
一方、ブランキング回路４の入力端には、前記図４（ｄ）の電流と検出抵抗Ｒｆの積で表される図４（ｅ）の検出出力（電圧）が、入力コンデンサＣinを介して供給されていて、この検出抵抗Ｒｆの検出出力である垂直のこぎり波を基準として、図４（ｆ）に示す如くのアナログブランキングパルスが出力端５に出力される。図３（ｂ）に示した回路の場合、ブランキング回路４は、入力波形を、電源Ｅ１に基づいて決定される上側スライスレベル（電圧）及び下側スライスレベル（電圧）と比較し、前記上側スライスレベルより高い期間，並びに前記下側スライスレベルより低い期間（共の正電位）、ブランキングパルス（出力）を“Ｈ”（ハイレベル）に、それ以外の期間を“Ｌ”（ローレベル）にして前記出力端５に出力さる。そして、例えば図５に示す公知の帰線消去回路の入力端子１２に供給され、前記ブランキングパルスが“Ｈ”の期間、帰線（この場合垂直帰線）が消去されて、垂直ブランキングパルスが“Ｈ”の期間及びその発生タイミングに応じて、前記図４（ｆ）に示す如くに、ラスタ９の上部または下部にブランキング部１０が形成されることになる。
【００１５】
ところで、上記回路においては入力コンデンサＣinによりブランキング回路４の入力端へは垂直のこぎり波の交流成分のみを伝送できるので、ブランキング回路４の電源を正電源のみで構成できるものの、前記入力コンデンサＣinによって垂直偏向系の前記帰還ループに妨害を与えることになる。即ち、前記検出抵抗Ｒｆの両端に現れる垂直のこぎり波のリニアリティーを悪化させてしまうという問題が発生する。さらに、前記入力コンデンサＣinとブランキング回路４の入力インピーダンス（実質的に無限大でなく有限である）との時定数の違い等により、電源投入時などに垂直のこぎり波の立ち上がり特性に遅れを生じさせる等の問題が発生する。
【００１６】
【発明が解決しようとする課題】
上記の如く、検出抵抗Ｒｆの両端に発生する垂直のこぎり波を基準にアナログブランキングパルスを発生するブランキング回路では、基準電圧発生源として正負両方の電源（２つの電源）が必要であり、また、前記検出抵抗Ｒｆの両端に発生する垂直のこぎり波を入力コンデンサＣinを介して入力し、前記基準電圧発生源として正電源のみで構成したブランキング回路では、前記入力コンデンサＣinが前記垂直偏向系の帰還ループに動作妨害を及ぼすことにより、前記検出抵抗Ｒｆの両端に発生する垂直のこぎり波に対して、リニアリティー悪化や電源投入時における立ち上がり特性の悪化を及ぼす等の問題があった。
【００１７】
さらに、前記垂直偏向系とブランキング回路のＩＣ内蔵（ＩＣ化）を考えたとき、前者の構成をとった場合、内蔵されるＩＣからみれば正負両方の電源には対応できず、また、後者の構成をとった場合、専用の入出力端子や入力ラインや入力容量（結合容量）等の追加が必要となり、ＩＣ内蔵（ＩＣ化）には馴染まない（適さない）などの問題があった。
【００１８】
そこで、本発明はこのような問題に鑑み、前記垂直偏向系により発生される垂直のこぎり波に対して妨害を及ぼすことが無く、ＩＣ内蔵に適したアナログブランキングパルスを発生手段であるアナログブランキングパルス発生回路を提供することを目的とするものである。
【００１９】
【課題を解決するための手段】
請求項１に記載の発明によるアナログブランキングパルス発生回路は、
テレビジョン受像機において、垂直走査のオーバースキャン期間にブランキングをかけるためのブランキングパルスを発生する回路であって、
基準となる第１の電圧値を発生する基準電圧源と、
前記基準電圧源と並列に接続され、前記基準電圧の値を分圧して第２の電圧値を発生する分圧手段と、
前記第１の電圧値及び第２の電圧値を入力とし、上端の電圧が前記第１の電圧値に下端の電圧が前記第２の電圧値となるように自動振幅調整された、垂直のこぎり波の基準となるのこぎり波を出力するのこぎり波発生器と、
前記第１の電圧値を入力し、その入力電圧レベルを所定量レベルシフトする第１の可変レベルシフト回路と、
前記第２の電圧値を入力し、その入力電圧レベルを所定量レベルシフトする第２の可変レベルシフト回路と、
前記のこぎり波発生器から出力されるのこぎり波の電圧レベルが前記第１の可変レベルシフト回路から出力される電圧レベルより大きい期間，並びに前記のこぎり波発生器から出力されるのこぎり波の電圧レベルが前記第２の可変レベルシフト回路から出力される電圧レベルより小さい期間においてのみパルス信号を発生するパルス信号発生手段と
を具備したことを特徴とする。
【００２０】
請求項２に記載の発明によるアナログブランキングパルス発生回路は、請求項１に記載のアナログブランキングパルス発生回路において、
前記パルス信号発生手段は、
前記のこぎり波を負入力端から入力し、前記第１の可変レベルシフト回路の出力を正入力端から入力し、比較を行う第１の電圧比較器と、
前記のこぎり波を正入力端から入力し、前記第２の可変レベルシフト回路の出力を負入力端から入力し、比較を行う第２の電圧比較器と、
前記第１の電圧比較器と第２の電圧比較器の出力信号を混合して出力する信号出力手段と
を具備したことを特徴とする。
【００２１】
請求項３に記載の発明によるアナログブランキングパルス発生回路は、請求項１に記載のアナログブランキングパルス発生回路において、前記第１の可変レベルシフト回路はその入力電圧レベルが小さくなる方向に、また、前記第２の可変レベルシフト回路はその入力電圧レベルが大きくなる方向に、それぞれの入力電圧レベルの絶対値が等しくなるように、レベルシフトが行われることを特徴とする。
【００２２】
ここで、上記請求項１から３に記載の発明によれば、ブランキング回路によるアナログブランキングパルス発生のタイミングを、垂直偏向系の垂直のこぎり波基準信号発生手段（のこぎり波発生器）からの出力（電圧）と所定のレベルに設定された基準電圧とを比較し、その比較結果に基づき、アナログブランキングパルスとして出力するようにしたので、その構成上、基準電圧発生源として正負両方の電源（２つの電源）を必要とせず、また、垂直偏向系の各回路への妨害等、即ち、垂直ブランキングパルスを得る為の基準となる垂直のこぎり波に対して、リニアリティー悪化や電源投入時における立ち上がり特性の悪化等の発生を防止することができる。さらに、前記のこぎり波発生回路を有するＩＣに内蔵することが容易に実現でき、且つ入力端子や余分な入力ライン，入力コンデンサ等も必要としない。
【００２３】
【発明の実施の形態】
以下、本発明の実施の一形態について図面を参照して説明する。
図１は本発明のアナログブランキングパルス発生回路の実施の形態を示した回路図である。
【００２４】
図１において、のこぎり波発生器１を構成する基準電圧Ｖref の負極側は基準電位点ＧＮＤに接続され、正極側は自動振幅調整型のこぎり波発生器６の入力端１５，並びにブランキング回路４を構成する可変レベルシフト回路７ａの入力端に接続されると共に抵抗Ｒ１，Ｒ２からなる直列回路を介して基準電位点ＧＮＤに接続されている。また、抵抗Ｒ１，Ｒ２の接続点は自動振幅調整型のこぎり波発生器６の入力端１６，並びにブランキング回路４を構成する可変レベルシフト回路７ｂの入力端に接続されている。さらに、前記自動振幅調整型のこぎり波発生器６の出力端は電圧比較器８ａの負入力端及び電圧比較器８ｂの正入力端に接続されると共に、出力端子１４を介して図示しない前記垂直偏向系回路に接続される。そして、可変レベルシフト回路７ａの出力端は電圧比較器８ａの正入力端に接続され、可変レベルシフト回路７ｂの出力端は電圧比較器８ｂの負入力端に接続され、電圧比較器８ａ，８ｂの出力端は反転回路１８を介してブランキングパルス出力端子１７にそれぞれ接続されている。尚、前記可変レベルシフト回路７ａ，７ｂの可変量（電圧シフト量）は、例えば、同時（等量）に可変されるようになっている。
【００２５】
次に、図１の動作（作用）について説明する。
自動振幅調整型のこぎり波発生器６は、基準電圧Ｖref から抵抗Ｒ１，Ｒ２によって分圧されたそれぞれ異なった電圧値を前記入力端１５，１６より入力し、この電圧値を基にのこぎり波（垂直のこぎり波の基準信号）の上端及び下端の電圧値を決定し、図２（ア）に示す如くののこぎり波を発生する。尚、図２は本発明のアナログブランキングパルス発生回路の動作を説明するための信号波形図である。
【００２６】
即ち、前記自動振幅調整型のこぎり波発生器６は、
のこぎり波の上端の電圧  ＝  Ｖref         ……………………  式１
のこぎり波の下端の電圧  ＝  Ｖref × Ｒ２／(Ｒ１＋Ｒ２) …  式２
となるように図示しないのこぎり波作成部で自動振幅調整を行いのこぎり波を発生し出力する。
【００２７】
そして、この自動振幅調整されたのこぎり波出力はブランキング回路４を構成する電圧比較器８ａの負入力端及び電圧比較器８ｂの正入力端にそれぞれ供給される。一方、電圧比較器８ａの正入力端には前記のこぎり波発生器１を構成する基準電圧Ｖref （のこぎり波の上端の電圧）が前記可変レベルシフト回路７ａを介して供給されていて、電圧比較器８ｂの負入力端にはＶref × Ｒ２／(Ｒ１＋Ｒ２)(のこぎり波の下端の電圧）が前記可変レベルシフト回路７ｂを介して供給されている。また、電圧比較器８ａ，８ｂの各出力は反転回路１８，並びにブランキングパルス出力端子１７を介して、例えば公知の帰線消去回路（図５参照）の入力端子１２に、図２（イ）に示す如くの垂直ブランキングパルスとして供給され、前記ブランキングパルスが“Ｈ”の期間、帰線（この場合垂直帰線）が消去されて、垂直ブランキングパルスが“Ｈ”の期間，並びにその発生タイミングに応じ、前記図２に示す如くに、ラスタ９の上部または下部にブランキング部１０が形成されることになる。尚、図２から解るように（既述した通り）、ブランキング部１０は、前記可変レベルシフト回路７ａ，７ｂの共通の可変量（電圧シフト量）ΔＶにより決定される。
【００２８】
ところで、前記電圧比較器８ａ，８ｂそれぞれの入力端への入力電圧は、前記可変レベルシフト回路７ａ，７ｂの共通の可変量（電圧シフト量）ΔＶを用いて次のように表される。即ち、
0003660062.tif 000002
となる。
【００２９】
また、電圧比較器８ａ，８ｂの電圧利得をＧとすると、電圧比較器８ａの出力は前記式１と式３の差分をＧ倍することにより、電圧比較器８ｂの出力は前記式２と式４の差分をＧ倍することによりそれぞれ求めることができる。即ち、
電圧比較器８ａの出力 ＝ ± ΔＶ × Ｇ   ………………………  式５
電圧比較器８ｂの出力 ＝ ± ΔＶ × Ｇ   ………………………  式６
となる。
【００３０】
これは、基準電圧Ｖref またはのこぎり波出力が、電源電圧や温度等の変動若しくはバラツキにより変動しても、電圧比較器８ａ，８ｂの出力（垂直ブランキングパルス）には変動が発生しないことを示している。
【００３１】
尚、前述のアナログブランキングパルス発生回路は、４：３画面の中の１６：９のレターボックス画像として伝送されるレターボックス信号を、ワイドテレビジョン受像機で、４：３の映像を上下（垂直方向）に拡大して、レターボックス画像部（１６：９の映像部分）のみを画面一杯に表示させた場合の垂直走査期間の開始と終了付近に発生するオーバースキャン期間における映像信号にブランキングをかけることに利用されるのみでなく、その他の用途、例えば、レターボックス信号を現行テレビジョン受像機に表示させた場合に発生する画面上下部のマスキング（ＥＤＴＶ２信号の場合、この画面上下部に多重された補強信号によるチラツキ防止のために用いられる）や、文字放送のスパーインポーズや、ＰＩＰ表示など、ＣＲＴ管面に該ＣＲＴ管面のアスペクト比と異なったアスペクト比を有する映像を表示させることが可能なあらゆる映像表示装置に対して適用することが可能である。
【００３２】
【発明の効果】
以上述べたように本発明によれば、その構成上、基準電圧発生源として正負両方の電源（２つの電源）を必要とせず、また、垂直偏向系の各回路への妨害等、即ち、垂直ブランキングパルスを得る為の基準となる垂直のこぎり波に対して、リニアリティー悪化や電源投入時における立ち上がり特性の悪化等の発生をなくすことができる。また、前記のこぎり波発生回路を有するＩＣに内蔵することが容易に実現でき、且つ入力端子や余分な入力ライン，入力コンデンサ等も必要ない。
【００３３】
さらに、本発明の新たな効果として、前記電源電圧や温度等の変動若しくはバラツキにより、基準電圧Ｖref またはのこぎり波出力に変動が発生しても、垂直ブランキングパルスには変動が発生しないため、アナログブランキングを前記のこぎり波振幅に対して常に一定の位置にかけることができる。
【図面の簡単な説明】
【図１】本発明のアナログブランキングパルス発生回路の実施の形態を示した回路図である。
【図２】本発明のアナログブランキングパルス発生回路の動作を説明するための信号波形図である。
【図３】従来の垂直偏向系アナログブランキングパルス発生回路を示した図である。
【図４】従来のアナログブランキングパルス発生回路の動作を説明するための信号波形図である。
【図５】公知の帰線消去回路を示した図である。
【符号の説明】
１          …のこぎり波発生器
４          …ブランキング回路
６          …自動振幅調整型のこぎり波発生器
７ａ，７ｂ  …可変レベルシフト回路
８ａ，８ｂ  …電圧比較器
１５，１６  …入力端
１７        …ブランキングパルス出力端子
Ｒ１，Ｒ２  …抵抗
Ｖref       …基準電圧源
【図１】
0003660062.tif 000003
【図２】
0003660062.tif 000004
【図３】
0003660062.tif 000005
【図４】
0003660062.tif 000006
【図５】
0003660062.tif 000007